(57)【特許請求の範囲】
【請求項１】
被写体の像を結ぶための撮像光学系と、
この撮像光学系によって自己の撮像面に映じられた光に対応する画像信号を生起する撮像素子と、
記録される画像の利用目的に適合したトリミングの形態を選択的に設定するためのトリミング形態選択手段と、
上記撮像素子の出力に関して該トリミング形態選択手段によって選択的に設定されたトリミングの形態に従った形式で画像が観察されるような信号処理を施し、適用された電子的表示手段に供給するための第１の信号処理手段と、
上記撮像素子の出力に基づいて第１の信号処理手段によるトリミングに係る画像の部分的欠如が生じない形態で且つ上記トリミング形態選択手段によって選択的に設定された当該画像に関するトリミングの形態を表すトリミング形態識別信号を伴ったものとして記録媒体に記録するに適合した被記録信号を得る第２の信号処理手段と、
トリガ手段への操作に応動して上記第２の信号処理手段による処理を受けた画像信号を、適用された記録媒体に記録させるための記録動作起動手段と、
上記記録媒体に記録された画像信号を当該画像信号に伴うトリミング形態識別信号によって表されるトリミングの形態に対応する形態で再生する画像再生手段と、
を備えたことを特徴とするディジタルカメラ。
【請求項２】
上記第1の信号処理手段を有効に機能させるためのモード切換え手段が更に設けられたことを特徴とする請求項１に記載のディジタルカメラ。
【請求項３】
上記トリミング形態選択手段は、
予め設定された複数のトリミングの形態に対応したトリミング処理を上記第1の信号処理手段に夫々行なわせるための複数種類のトリミングデータを保有するトリミングデータ保有手段と、
該トリミングデータ保有手段の保有するトリミングデータに対応する複数のトリミング形態のうちから特定のものを選択するための選択操作手段と、
を含んで構成されたものであることを特徴とする請求項１に記載のディジタルカメラ。
【請求項４】
上記第１の信号処理手段は、
上記トリミング形態選択手段によって選択的に設定されたトリミングの形態に従った形式で上記撮像素子の出力に関して、当該トリミングによって除外する画像部分のデータに対してミュート信号に置換する処理乃至この処理と実効的に等価なデータ処理を施す過程を含む処理を行なうように構成されたものであることを特徴とする請求項１に記載のディジタルカメラ。
【請求項５】
上記第１の信号処理手段は、
上記トリミング形態選択手段によって選択的に設定されたトリミングの形態に従った形式で画像が観察されるような信号処理を行なう動作モードと該信号処理を行なわずに信号を通過させる動作モードとが切り換え可能に構成されたことを特徴とする請求項１に記載のディジタルカメラ。
【請求項６】
上記第１の信号処理手段は、
上記撮像素子の出力に関して該トリミング形態選択手段によって選択的に設定されたトリミングの形態に従った形式で画像が観察されるような信号処理を施し、該信号処理が施された信号を適用された電子的表示手段に供給するための第1の信号伝送経路と、
上記撮像素子の出力に関して上記信号処理が施されない信号を上記電子的表示手段に供給するための第２の信号伝送経路と、
上記第1の信号伝送経路と第２の信号伝送経路とが操作者の任意によるタイミングで切り換えて適用され得るようにするためのトリミング／ノーマル切り換え手段と、
を含んで構成されたものであることを特徴とする請求項１に記載のディジタルカメラ。
【請求項７】
上記トリミング／ノーマル切り換え手段は、
操作者が所定の操作部に操作を加えている期間には上記第１の信号伝送経路が適用され、上記所定の操作部に操作を加えていない期間には上記第２の信号伝送経路が適用されるように構成されたものであることを特徴とする請求項６に記載のディジタルカメラ。
【請求項８】
上記トリミング形態選択手段は、
上記トリミングデータ保有手段に保有されているトリミングデータに対応する複数のトリミングの形態のうちの所定数のものをまとめて一のメニュー画面として適用された電子的表示手段に表示するためのトリミングメニュー表示手段を更に備え、
上記トリミング形態選択手段は上記トリミングメニュー表示手段によって当該電子的表示手段に表示されたトリミングの形態のうちの任意のものを操作者が選択することができるように構成されたものであることを特徴とする請求項３に記載のディジタルカメラ。
【請求項９】
上記トリミング形態選択手段は、
上記トリミングデータ保有手段に予め保有されているトリミングデータに対応する複数のトリミングの形態の他に、操作者による所定の操作に基づいて生成されるようトリミングデータに対応するトリミングの形態を選択的に設定するための手動トリミング手段を更に有して構成されたものであることを特徴とする請求項３または８に記載のディジタルカメラ。
【請求項１０】
上記トリミング／ノーマル切り換え手段は、
所定の切換えスイッチへの切換え操作に応じて上記第1の信号伝送経路と第２の信号伝送経路とが操作者の任意によるタイミングで切り換えて適用され得るように構成されたものであることを特徴とする請求項６に記載のディジタルカメラ。
【請求項１１】
上記トリミング／ノーマル切り換え手段は、
上記トリガ手段と共通の操作部への操作量の程度に応じて上記第1の信号伝送経路と第２の信号伝送経路とが操作者の任意によるタイミングで切り換えて適用され得るように構成されたものであることを特徴とする請求項６に記載のディジタルカメラ。
【請求項１２】
上記画像再生手段は、
上記トリミングに係る画像の部分的欠如が略々生じない当該画像の相対的に周辺に偏った部位に上記トリミング形態選択手段によって設定されたトリミングの形態を表すパターンを表示するように構成されたものであることを特徴とする請求項１に記載のディジタルカメラ。
【請求項１３】
上記画像再生手段は、
上記トリミング形態選択手段によって設定されたトリミングが施された結果としての態様で再生画像を表示するように構成されたものであることを特徴とする請求項１に記載のディジタルカメラ。
【請求項１４】
上記トリミング形態選択手段によって選択的に設定されたトリミング形態に応じて、撮影条件に係る設定を自動的に行う撮影条件自動設定手段が更に設けられたことを特徴とする請求項１に記載のディジタルカメラ。
【請求項１５】
上記撮影条件自動設定手段は、
上記トリミング形態選択手段によって選択的に設定されたトリミング形態に応じて、記録画像を構成する画素数に関する設定を含むものとして撮影条件に係る設定を自動的に行うように構成されたものであることを特徴とする請求項１４に記載のディジタルカメラ。
【請求項１６】
上記撮影条件自動設定手段は、
上記トリミング形態選択手段によって選択的に設定されたトリミング形態に応じて、記録画像に関する情報の圧縮率の設定を含むものとして撮影条件に係る設定を自動的に行うように構成されたものであることを特徴とする請求項１４に記載のディジタルカメラ。
【請求項１７】
上記撮影条件自動設定手段は、
上記トリミング形態選択手段によって選択的に設定されたトリミング形態に応じて、記録画像の解像度に関する設定を含むものとして撮影条件に係る設定を自動的に行うように構成されたものであることを特徴とする請求項１４に記載のディジタルカメラ。
【請求項１８】
上記撮影条件自動設定手段は、
上記トリミング形態選択手段によって選択的に設定されたトリミング形態に応じて、記録画像の色調に関する設定を含むものとして撮影条件に係る設定を自動的に行うように構成されたものであることを特徴とする請求項１４に記載のディジタルカメラ。
【請求項１９】
上記撮影条件自動設定手段は、
上記トリミング形態選択手段によって選択的に設定されたトリミング形態に応じて、画像のサイズに関する設定を含むものとして撮影条件に係る設定を自動的に行うように構成されたものであることを特徴とする請求項１４に記載のディジタルカメラ。
【請求項２０】
上記撮影条件自動設定手段は、
上記トリミング形態選択手段によって選択的に設定されたトリミング形態に応じて、絞りに関する設定を含むものとして撮影条件に係る設定を自動的に行うように構成されたものであることを特徴とする請求項１４に記載のディジタルカメラ。
【請求項２１】
上記撮影条件自動設定手段は、
上記トリミング形態選択手段によって選択的に設定されたトリミング形態に応じて、被写界深度に関する設定を含むものとして撮影条件に係る設定を自動的に行うように構成されたものであることを特徴とする請求項１４に記載のディジタルカメラ。
【請求項２２】
上記撮影条件自動設定手段は、
上記トリミング形態選択手段によって選択的に設定されたトリミング形態に応じて、測光方式に関する設定を含むものとして撮影条件に係る設定を自動的に行うように構成されたものであることを特徴とする請求項１４に記載のディジタルカメラ。
【請求項２３】
上記撮影条件自動設定手段は、
上記トリミング形態選択手段によって選択的に設定されたトリミング形態に応じて、フラッシュのオンオフに関する設定を含むものとして撮影条件に係る設定を自動的に行うように構成されたものであることを特徴とする請求項１４に記載のディジタルカメラ。
【請求項２４】
上記撮影条件自動設定手段は、
上記トリミング形態選択手段によって選択的に設定されたトリミング形態に応じて、赤目軽減のフラッシュのたき方に関する設定を含むものとして撮影条件に係る設定を自動的に行うように構成されたものであることを特徴とする請求項１４に記載のディジタルカメラ。
【請求項２５】
上記撮影条件自動設定手段は、
上記トリミング形態選択手段によって選択的に設定されたトリミング形態に応じて、記録画像のコントラストに関する設定を含むものとして撮影条件に係る設定を自動的に行うように構成されたものであることを特徴とする請求項１４に記載のディジタルカメラ。
【請求項２６】
上記撮影条件自動設定手段は、
上記トリミング形態選択手段によって選択的に設定されたトリミング形態に応じて、記録画像のシャープネスに関する設定を含むものとして撮影条件に係る設定を自動的に行うように構成されたものであることを特徴とする請求項１４に記載のディジタルカメラ。
【請求項２７】
上記撮影条件自動設定手段は、
上記トリミング形態選択手段によって選択的に設定されたトリミング形態に応じて、記録画像のガンマ補正に関する設定を含むものとして撮影条件に係る設定を自動的に行うように構成されたものであることを特徴とする請求項１４に記載のディジタルカメラ。
【請求項２８】
上記撮影条件自動設定手段は、
上記トリミング形態選択手段によって選択的に設定されたトリミング形態に応じて、記録画像の明るさに関する設定を含むものとして撮影条件に係る設定を自動的に行うように構成されたものであることを特徴とする請求項１４に記載のディジタルカメラ。
【請求項２９】
上記撮影条件自動設定手段は、
上記トリミング形態選択手段によって選択的に設定されたトリミング形態に応じて、記録画像のエッジに関する設定を含むものとして撮影条件に係る設定を自動的に行うように構成されたものであることを特徴とする請求項１４に記載のディジタルカメラ。
【請求項３０】
上記撮影条件自動設定手段は、
上記トリミング形態選択手段によって選択的に設定されたトリミング形態に応じて、シャッタスピードに関する設定を含むものとして撮影条件に係る設定を自動的に行うように構成されたものであることを特徴とする請求項１４に記載のディジタルカメラ。
【請求項３１】
上記撮影条件自動設定手段は、
上記トリミング形態選択手段によって選択的に設定されたトリミング形態に応じて、ＥＶ値に関する設定を含むものとして撮影条件に係る設定を自動的に行うように構成されたものであることを特徴とする請求項１４に記載のディジタルカメラ。
【請求項３２】
上記撮影条件自動設定手段は、
上記トリミング形態選択手段によって選択的に設定されたトリミング形態に応じて、ホワイトバランスに関する設定を含むものとして撮影条件に係る設定を自動的に行うように構成されたものであることを特徴とする請求項１４に記載のディジタルカメラ。
【請求項３３】
上記撮影条件自動設定手段は、
上記トリミング形態選択手段によって選択的に設定されたトリミング形態に応じて、ＩＳＯ感度に関する設定を含むものとして撮影条件に係る設定を自動的に行うように構成されたものであることを特徴とする請求項１４に記載のディジタルカメラ。
【請求項３４】
上記撮影条件自動設定手段は、
上記トリミング形態選択手段によって選択的に設定されたトリミング形態に応じて、ズーム倍率に関する設定を含むものとして撮影条件に係る設定を自動的に行うように構成されたものであることを特徴とする請求項１４に記載のディジタルカメラ。
【請求項３５】
上記撮影条件自動設定手段は、
上記トリミング形態選択手段によって選択的に設定されたトリミング形態に応じて、フラッシュ発光量に関する設定を含むものとして撮影条件に係る設定を自動的に行うように構成されたものであることを特徴とする請求項１４に記載のディジタルカメラ。
【請求項３６】
上記撮影条件自動設定手段は、
上記トリミング形態選択手段によって選択的に設定されたトリミング形態に応じて、ブラケット撮影に関する設定を含むものとして撮影条件に係る設定を自動的に行うように構成されたものであることを特徴とする請求項１４に記載のディジタルカメラ。
【請求項３７】
上記撮影条件自動設定手段は、
上記トリミング形態選択手段によって選択的に設定されたトリミング形態に応じて、連写撮影に関する設定を含むものとして撮影条件に係る設定を自動的に行うように構成されたものであることを特徴とする請求項１４に記載のディジタルカメラ。
【請求項３８】
上記撮影条件自動設定手段は、
上記トリミング形態選択手段によって選択的に設定されたトリミング形態に応じて、画像記録のデータ形式に関する設定を含むものとして撮影条件に係る設定を自動的に行うように構成されたものであることを特徴とする請求項１４に記載のディジタルカメラ。
【請求項３９】
上記撮影条件自動設定手段は、
上記トリミング形態選択手段によって選択的に設定されたトリミング形態に応じて、ＤＰＯＦ（Digital Print Oder Format：ディジタルカメラのプリント情報に関するフォーマット）に関する設定を含むものとして撮影条件に係る設定を自動的に行うように構成されたものであることを特徴とする請求項１４に記載のディジタルカメラ。
【請求項４０】
上記撮影条件に関する設定を自動的に設定する自動モードを選択するか手動によって任意に設定する手動モードを選択するかを切換えるための切換え手段が更に設けられ、上記撮影条件自動設定手段は上記切換え手段によって上記自動モードが選択されたときに機能するように構成されたものであることを特徴とする請求項１４に記載のディジタルカメラ。
【請求項４１】
上記トリミング形態選択手段のトリミングデータ保有手段は、
トリミングによって選択的に排除される画像の部分が黒レベル、グレーレベルまたはカラーのミュート画面となる態様のものを複数種類のトリミングデータのうちの一のものとして含むように構成されたものであることを特徴とする請求項３に記載のディジタルカメラ。
【請求項４２】
上記トリミング形態選択手段のトリミングデータ保有手段は、
トリミングによって選択的に排除される画像の部分が地となる画像に半透明のマスキングがほどこされた態様のものを複数種類のトリミングデータのうちの一のものとして含むように構成されたものであることを特徴とする請求項３に記載のディジタルカメラ。
【発明の詳細な説明】
【０００１】
【発明の属する技術分野】
本発明はディジタルカメラに関し、特に、記録された画像を後にトリミングして用いることを予定している場合等において種々の便宜が計られるようにした技術に関する。
【０００２】
【従来の技術】
近年、ディジタルカメラとプリンタ装置とを接続してシステムを構成し、ディジタルカメラで撮影した画像を種々の形態でプリントするようなことも行われるようになりつつある。その一例として、特開平１０−１０８００５号公報には、パソコンを介在させることなく、ディジタルカメラとプリンタ装置とを接続して種々の形態でのプリントを行うことができるようにしたシステムについて開示されている。次のような技術もその一例として開示されている。即ち、プリンタ装置に設けられたメモリにプリンタ装置操作用画像のデータを蓄積しておき、この蓄積されたデータをディジタルカメラ側に送り、このディジタルカメラ側の表示手段に複数のフォーマット選択画像を有するプリンタ装置操作用の画像を表示する。そして、この操作用画像を見ながら選択手段により複数のフォーマット（画像の表示の仕方の形態）の中から一つのフォーマットを選択し、更に、ディジタルカメラによる写真画像を選択する。このようにして選択されたフォーマット画像によるフォーマットで写真画像がプリントされる。
【０００３】
また一方、本出願人もディジタルカメラとこのディジタルカメラで撮影した画像をプリントするプリンタとからなるシステムを先に提案している（特開平１０−２００８５０号公報）。この提案では、プリント対象として選択された画像をディジタルカメラの表示部に表示して確認され得るようにして、この確認がなされた画像を表わすデータをプリンタ側に送出するようにしている。このような構成によれば、プリント対象画像の選択と確認、並びに、意図した画像のプリントが容易かつ確実になされ得ることになる。
【０００４】
【発明が解決しようとする課題】
しかしながら、上述のような既提案のシステムでは、特に、撮影に先立って、記録された画像を後にトリミングして用いることを予定している場合等において、撮影に際して当初からトリミングされた画像をイメージできるようにするための工夫や手段については何等の示唆も得られるものではない。例えば、撮影者が、ディジタルカメラで撮影した画像を、ＣＤ−Ｒのラベルに用いることを当初から予定しているような場合、カメラの液晶モニタやファインダにＣＤ−Ｒの形に似せた円盤状のマスクをかける等して、記録される画像の構図が視覚的に確認されるような工夫が必要とされる。もしこうした手段を講じることなく撮影してしまい、後に、ＣＤ−Ｒの盤面の形にトリミングしてみたら、画像の中でアクセントとして不可欠な部分が欠落してしまう等の不具合が生じてしまったときには、そのときには既に、その欠落部分を補填するような方途がなくなってしまう。
【０００５】
そこで、本発明の目的は、記録された画像を後にトリミングして用いることを予定している場合等において、そのような撮影に際して、撮影操作に関して種々の便宜が図られるようにしたディジタルカメラを提供することにある。
【０００６】
【課題を解決するための手段】
上述の課題を解決するため、本発明は、次のような特徴的構成を備えている。
【０００７】
即ち、本発明によるディジタルカメラは、被写体の像を結ぶための撮像光学系と、この撮像光学系によって自己の撮像面に映じられた光に対応する画像信号を生起する撮像素子と、記録される画像の利用目的に適合したトリミングの形態を選択的に設定するためのトリミング形態選択手段と、上記撮像素子の出力に関して該トリミング形態選択手段によって選択的に設定されたトリミングの形態に従った形式で画像が観察されるような信号処理を施し、適用された電子的表示手段に供給するための第１の信号処理手段と、上記撮像素子の出力に基づいて第１の信号処理手段によるトリミングに係る画像の部分的欠如が生じない形態で且つ上記トリミング形態選択手段によって選択的に設定された当該画像に関するトリミングの形態を表すトリミング形態識別信号を伴ったものとして記録媒体に記録するに適合した被記録信号を得る第２の信号処理手段と、トリガ手段への操作に応動して上記第２の信号処理手段による処理を受けた画像信号を、適用された記録媒体に記録させるための記録動作起動手段と、上記記録媒体に記録された画像信号を当該画像信号に伴うトリミング形態識別信号によって表されるトリミングの形態に対応する形態で再生する画像再生手段と、を備えたことを特徴とする。
【０００８】
本発明においては、撮影者は、予め用意した種々のトリミング形態から所望のトリミング形態を選択し設定すると、表示手段には第１の信号処理手段によってて撮影予定の画像にその選択したトリミング形態をかけた状態で表示させることができ、またその後にレリーズ等の撮影（記録）起動操作を行った時には、記録媒体には第２の信号処理手段によってトリミングがかかっていない画像信号とその時選択されているトリミング形態を表す識別信号とを記録させることができる。そして、再生時には、記録媒体に記録された画像信号をそれに対応したトリミング形態をかけた状態で再生することができるものである。
【０００９】
【発明の実施の形態】
発明の実施の形態について図面を参照して説明する。
図１は本発明の一実施の形態のディジタルカメラのブロック図を示している。なお、以下の記載で用語「マスク」と「トリミング」は同義に用いている。
【００１０】
図１において、ディジタルカメラ１０は、撮像光学系１１と、撮像素子１２と、撮像回路１３と、Ａ／Ｄ変換器１４と、フレームバッファメモリとしてのＲＡＭ１５と、トリミングデータ保存用のＲＯＭ１６と、画像処理用ＩＣとして構成されたＡＳＩＣ１７と、システムコントローラ１８と、レンズ駆動制御回路１９と、レンズ駆動部２０と、ディスク用のドライブコントローラ２１と、カードスロットとして構成されたディスクドライブ２２と、記録媒体としてのディスク（又はカード）２３と、ＵＳＢ対応の外部機器とのビデオ信号のやり取りを行うインターフェース（以下、Ｉ／Ｆ）２４と、ＵＳＢ入出力端子２５と、外部ビデオ機器からのビデオ信号を入力するためのインターフェース（以下、Ｉ／Ｆ）２６と、ビデオ入力端子２７と、ビデオ出力回路としてのビデオエンコーダ２８と、ビデオ出力端子２９と、ＬＣＤドライバ３０と、電子的表示手段としての画像表示用液晶パネル（以下、ＬＣＤ）３１と、システムコントローラ１８と各ディジタル回路との間を繋ぐデータバス３２と、ストロボ発光部３３と、操作部３４と、電源部３５と、外部電源入力端子３６と、を備えて構成されている。なお、図では、ディスク（又はカード）２３はカメラ１０に対して着脱可能となっている。
【００１１】
撮像光学系１１は、被写体像を光学的に結像するためのものであり、例えばズームレンズ系として構成されている。撮像素子１２は、その撮像面に撮像光学系１１により結像された被写体像を光電変換して電気的な画像信号（アナログ信号）として生成し出力する。
【００１２】
撮像回路１３は、撮像素子１２を制御するとともに該撮像素子１２から出力されるアナログ信号に必要な処理を施して出力する。Ａ／Ｄ変換器１４は、撮像回路１３から出力されたアナログ信号をデジタル信号に変換する。ＲＡＭ１５は、Ａ／Ｄ変換器１４により変換された画像データを一旦記憶しておく。或いは、ディスク２３から読み出した画像データを一旦記憶したり、ＲＯＭ１６から読み出したトリミングデータを一旦記憶したりする。
【００１３】
ＲＯＭ１６は、本発明の特徴部分の１つである、種々のトリミング形態を予めトリミングデータとして保存している。
【００１４】
画像処理用のＡＳＩＣ１７は、後述するシステムコントローラ１８の制御に基づき上記ＲＡＭ１５に記憶された画像データに各種の画像処理を施すものであり後述するディスク２３に記録する際のＪＰＥＧ圧縮や読み出す際のＪＰＥＧ伸張も行うものである。
【００１５】
レンズ駆動制御回路１９は、上記システムコントローラ１８の制御に基づきズームやオートフォーカスを行わせるために後述のレンズ駆動部２０を制御する。レンズ駆動部２０は、このレンズ駆動制御回路１９の制御に基づき上記撮像光学系１１に含まれるズームレンズやフォーカスレンズを駆動する。
【００１６】
ドライブコントローラ２１は、上記システムコントローラ１８の制御に基づき上記ＡＳＩＣ１７によりＪＰＥＧ圧縮された画像データを後述のディスク２３に記録するように制御し、或いは該ディスク２３に記録された画像データを読み出すように制御する。
【００１７】
ディスクドライブ２２は、これに上記ディスク２３が電気的に接続されることにより、ドライブコントローラ２１との信号の授受を可能とする。ディスク２３は、ディスクドライブ２２に着脱自在に接続されるようになっているカード形状をなす不揮発性の記録媒体である。
【００１８】
Ｉ／Ｆ２４は、上記システムコントローラ１８の制御に基づいてＵＳＢ対応の外部機器との信号の授受を行うためのものである。入出力端子２５は、接続コード等を介してＵＳＢ対応外部機器と接続されることによりＩ／Ｆ２４との信号の授受を可能とする。
【００１９】
Ｉ／Ｆ２６は、上記システムコントローラ１８の制御に基づいてビデオ出力端子を持った外部ビデオ機器からのビデオ信号を入力するためのものである。入力端子２７は、接続コード等を介して外部ビデオ機器と接続されることによりＩ／Ｆ２６へのビデオ信号（Video IN）の入力を可能とする。
【００２０】
ビデオエンコーダ２８は、上記ＲＡＭ１５に記憶された画像データに基づき撮影前に被写体の構図等を決定する際にＬＣＤ表示用画像をフレーム毎に出力したり、撮影後に画像を再生する際に１フレームのＬＣＤ表示用画像を出力したりする。ビデオエンコーダ２８はまた、ビデオ出力端子２９に接続した図示しない外部ビデオ機器に対してビデオ信号（Video OUT）を出力することが可能である。ＬＣＤドライバ３０は、ビデオエンコーダ２８からのフレーム毎のＬＣＤ表示用画像を表示ドライブ用クロックとともにＬＣＤ３１に供給するものである。
【００２１】
ＬＣＤ３１は、上記ビデオエンコーダ２８の出力を受けて画像やこのカメラに係る情報等を表示する表示手段を構成している。
【００２２】
ストロボ発光部３３は、上記システムコントローラ１８の制御に基づき被写体の輝度が低いときや主要被写体が逆光にあるときなどに照明光を照射する。
【００２３】
操作部３４は、ユーザーにより、電源オン／オフ手段、露光起動手段（レリーズ手段或いはトリガ手段とも言われる）、コマ送り手段、画面表示オン／オフ手段などのほか、本発明の特徴の１つである、トリミング形態の選択や編集（後述）の操作を行うための手段を含んでいる。
【００２４】
電源部３５は、カメラ１０内の各部に電源を供給するためのものである。また、外部電源入力端子３６は、図示しない外部電源が接続されたときに上記電源部３５に電力を供給する。
【００２５】
システムコントローラ１８は、上述したような各回路を含むカメラ１０全体を統括的にコントロールするものであり、操作部３４からの指令を受けて撮影時の撮影及び記録には、表示処理を行うと共に、ＡＳＩＣ１７等に処理させての記録処理などの制御を行う一方、カメラ１０内のディスク２３に記録してある画像データを読み出し、表示させる制御などを行う。さらに、システムコントローラ１８は、本発明の特徴となる、トリミング情報処理プログラム１８ａを保有しており、トリミング処理モードとされ、トリミング形態の１つが選択された後に、ＲＯＭ１６内に格納されている各種トリミング形態の中から選択されたトリミング形態を読み出し、撮影中の画像データに重畳してＬＣＤ表示用データとして表示処理したり、或いはトリミング処理モード時にトリミング撮影したものを画像データとトリミング形態識別信号とに分けた状態でディスク２３に記録する処理を行ったりする。
【００２６】
トリミング情報処理プログラム１８ａは、ユーザーの意図（操作）に従い、マスクの選択、マスク表示、画質調整、トリミング情報の記録・再生を行う。
【００２７】
ディジタルカメラで撮影した画像ファイルはタグ構造をとっており、画像記録時にファイル名や撮影日時、絞り・シャッタースピードといった撮影条件等の情報をタグ内に書き込んでいる。
【００２８】
トリミング情報処理プログラム１８ａは、ユーザーが選択した『マスクＮｏ．』をこれらの情報と同様にタグ内に書き込む。或いは、画像ファイルとは別に（＝タグに書き込まずに）ファイル名や撮影日時と関連付けてマスクＮｏ．を記録してもよい。画像とマスクが対応できる形態で記録すればよい。ユーザーはアプリケーションソフト等を使い画像ファイルのタグ情報（例えばその画像の撮影日時など）を知ることができる。
【００２９】
また、上記操作部３４は、電源スイッチ，コマ送りスイッチ，表示オン／オフスイッチなどのほかに、撮影動作を行うためのレリーズボタン、カメラ１０の設定等に係るメニューを画像表示用ＬＣＤ３１に表示するためのメニューボタン、表示されたメニューの内の選択可能な項目を移動するための十字ボタン、選択された項目を決定するためのチェックボタン（ＯＫボタン）、さらには本発明の特徴の１つのとなる、撮影時に撮影画像に対してトリミングをかけるためのマスクボタン等を含んで構成されている。
【００３０】
図２は上記ディジタルカメラ１０の背面図を示している。カメラ背面には、ＬＣＤ３１の表示面があり、その近辺に、メニュー画面を表させるためのメニューボタン341、メニュー画面の中から希望の項目を選択するためにカーソルをメニュー画面上で上下左右に移動させるための十字ボタン342、選択項目を決定してチェックマークを付けるなどするためのチェックボタン（ＯＫボタン）343、メニュー画面から撮影マスクの選択を行った後に選択したマスクパターン（トリミング形態）を撮影画像に対してかけるためのマスクボタン344が配設されている。
【００３１】
次に、以上のように構成されたディジタルカメラにおいて、本発明の特徴部分の機能及びその作用につき図３乃至図７を参照して説明する。
【００３２】
図３は、図２に示したメニューボタン341を押すことによって表示されるメニュー項目のうち、本発明の特徴部分となるものを示している。
【００３３】
メニュー画面によって表示されるメニュー４０の項目には、本発明に係わる、「撮影マスクの選択」４１、「撮影マスクの編集」４２、が設けられている。勿論、その他の選択可能な種々の項目４３も用意されている。
【００３４】
まず、メニュー項目の「撮影マスクの選択」４１を十字ボタン３４２で選んでチェックボタン３４３で決定すると、トリミング形態としての複数（図では６つ）の撮影マスクの一覧表示４４と、その中の１つを選択するための移動可能なカーソルとしての枠表示４４ａと、現在の選択しているトリミング形態名の表示及び選択可能な操作ボタンのマーク表示とを含むバー表示（図では黒色表示）４５とがＬＣＤ３１の画面上に表示される。
【００３５】
撮影マスクの一覧表示４４としては、例えば、正方形411、円形412、ドーナッツ形のＣＤ−Ｒ（CD-Recordable、同じ場所に一度のみ書き込み可能なＣＤ）413、長方形414、楕円形415、証明写真416のような複数のトリミング形態（マスク形態）が表示される。
【００３６】
そして、撮影するに際して、図３に示すようにトリミング形態として正方形411を選択したい場合には、カーソルとしての枠表示４４ａを十字ボタン342で正方形411に移動設定し、かつこの正方形411を選択すべくチェックボタン343を押すと、枠表示４４ａがされた正方形411の左上隅に選択されたことを示すチェックマークが表示される。
【００３７】
次に上記の選択された撮影マスク（例えば正方形）で実際に撮影する際には、図３の正方形が選択されている状態で、図２に示すマスクボタン344を押して撮影レンズを被写体（例えば花）に向けると、ＬＣＤ３１の画面上には上記の選択したマスクがかかった被写体像が表示される。即ち、図４(a)に示すように、正方形411によって限定（トリミング）された領域内の所望の位置に被写体が配置されるようにして撮影することが可能となる。
【００３８】
なお、マスクボタン344を押した時には、マスクボタン344を押しているときだけマスクがかかった画像がＬＣＤ画面に表示されて、マスクボタン344を離すとマスクが取り去られた普通の画像が表示される。或いは、マスクボタン344を一度押すと、マスクがかかった画像がＬＣＤ画面に表示されて、もう一度マスクボタン344を押すとマスクが取り去られた普通の画像が表示されるようにシステムコントローラ１８のトリミング情報処理プログラム１８ａをプログラムすることもできる。
【００３９】
図４(a)〜(c)は撮影時のＬＣＤ表示例を示すもので、それぞれ撮影マスク（即ちトリミング形態）が、(a)は正方形、(b)はＣＤ−Ｒ、(c)は証明写真、の場合を示している。
【００４０】
図５では、図３で表示されたメニュー画面の項目のうち、「撮影マスクの編集」４２を十字ボタン342で選んでチェックボタン343で決定すると、トリミング形態としての複数（図では６つ）の撮影マスクの一覧表示４４と、その中の１つを選択するための移動可能なカーソルとしての枠表示４４ａと、現在は編集モードにあることを示す表示及び選択可能な操作ボタンのマーク表示とを含むバー表示（図では黒色表示）４６とがＬＣＤ３１の画面上に表示される。
【００４１】
今、図５(a)の一覧表示４４がなされ、カーソルとしての枠表示４４ａがトリミング形態のうち例えば正方形411に設定されている時に、チェックボタン343を押すと、図５(b)の正方形411のマスク形態を示す１コマ表示状態に移行する。この移行画面は、前記の一覧表示４４を２つに分割した画面となっており、左側がマスク形態を示す画面４7であり、右側が正方形411の領域に表示される画像の画素数（画素数はサイズ又は解像度と同義である）を可変設定できる選択肢を有する画面４８である。符号４８ａは選択するためのカーソルとしての枠表示を示し、その左側のチェックマークはチェックボタン343で選択済みであることを示している。また、図５(b)では、前記のバー表示４６は、選択可能な操作ボタンとしてのマーク表示のみ（十字ボタン342の上下キーとチェックボタン343のマーク）を含むバー表示４９となっている。画素数を可変設定できる画面４８は、画素数が480×480、960×960、1200×1200、1680×1680の４つの選択肢を有し、更に画素数1680×1680にはＪＰＥＧとＴＩＦＦの選択肢を有している。図では、十字ボタン342を操作してカーソルを画素数480×480に設定した後、チェックボタン343を押すことによって画素数480×480にチェックマークを付けて選択した状態が示されている。図５(b)の状態からマスクボタン344を押すと、正方形にマスクがかかった画像が映出され、その状態で撮影すると画素数640×480で記録される。その画像をトリミングしたものが画素数480×480の画像となる。
【００４２】
同様に、図５(a)でＣＤ−Ｒ413を選択した後チェックボタン343を押すと、図５(c)のＣＤ−Ｒ413のマスク形態を示す１コマ表示状態に移行する。このときの選択肢を示す画面４８には、直径が１２ｃｍのＣＤ−Ｒと８ｃｍのＣＤ−Ｒとから選択することができる。図５(c)では、１２ｃｍのＣＤ−Ｒを選択しチェックボタン343で決定した状態を示している。
【００４３】
また同様に、図５(a)で証明写真416を選択した後チェックボタン343を押すと、図５(d)の証明写真416のマスク形態を示す１コマ表示状態に移行する。このときの選択肢を示す画面４８には、写真画像の大きさ（単位ｃｍ、画素数の大きさに対応している）が5.0×4.0、4.5×3.5、4.0×3.0、3.0×2.4の４つの選択肢を有している。図５(d)では、5.0×4.0を選択しチェックボタン343で決定した状態を示している。
【００４４】
以上述べた正方形、ＣＤ−Ｒ、証明写真はそれぞれ形状は決まっており、画素数を変える程度の編集を可能とするものである。なお、特に図示していないが、円形の場合についても、画素数を変える程度の編集を可能とするものである。
【００４５】
これに対して、マスク形態（トリミング形態）が長方形、楕円形については、単に画素数の大小だけでなく、撮影者が縦横比を自分で編集できるようにすることができる。
【００４６】
図５(e)は、図５(a)で長方形を選択しチェックボタン343を押すことによって表示される編集画面である。この編集画面は２つに分割した画面となっており、長方形414のマスク形態を示す１コマ表示の画面５０と、その下に配置されたバー表示の画面５１とで構成されている。画面５０では、長方形の縦横の各辺をそれぞれ挟むように十字ボタンの形状に似た形状の三角表示がなされ、十字ボタン342を操作することで長方形の縦横の比率が変えられるようになっている。そして、バー表示の画面５１では、画面５０にて長方形の縦横比を変えている過程でシステムコントローラ１８で演算された縦横比（図では16：9）が表示される一方、操作可能なチェックボタン343が表示される。
【００４７】
図５(e)で縦横比を決めた後に、チェックボタン343を押すと、図５(f)に示す画面に移行する。この移行画面も２つに分割されており、図５(e)で決めた縦横比を表示すると共に画質（画素数）を設定するための選択肢を表示する画面５２と、その下に配置されて、「画質設定」の表示及び操作可能な十字ボタン及びチェックボタンの表示がなされたバー表示の画面５３で構成されている。図５(f)では、十字ボタン342にて移動可能なカーソルとしての枠表示５２ａが表示されており、画質として「ＴＩＦＦ」が選択されかつチェックボタン343操作後のチェックマークが表示されている。この図５(f)の状態から、マスクボタン344を操作すると、ＬＣＤ３１には長方形にトリミングされた（マスクされた）撮影画像が表示されることになる。
【００４８】
そして、撮影者はＬＣＤ画像を見ながらカメラ１０の図示しないレリーズボタン（シャッタボタン）を押すことで、マスク情報としてのトリミング形態識別信号を伴った撮影画像信号がディスク２３に記録され、同時にそのマスクがかかった撮影画像がＬＣＤ表示される。
【００４９】
なお、ＴＩＦＦは非圧縮を意味しており画素数が例えば2240×1680であり、ＪＰＥＧ-ＳＨＱは圧縮率が低く高品質を意味しており画素数が例えば2240×1680である。ＪＰＥＧ-ＨＱは圧縮率が標準を意味しており画素数が例えば1600×1200であり、ＪＰＥＧ-ＳＱは圧縮率が低いことを意味しており画素数が例えば1280×960である。
【００５０】
また、図５(g)は、図５(a)で楕円形を選択しチェックボタン343を押すことによって表示される編集画面である。この編集画面も図５(e)と同様に２つに分割した画面となっており、楕円形415のマスク形態を示す１コマ表示の画面５０と、その下に配置されたバー表示の画面５１とで構成されている。画面５０では、楕円形の縦横の各部分をそれぞれ挟むように十字ボタンの形状に似た形状の三角表示がなされ、十字ボタン342を操作することで楕円形の縦横の比率が変えられるようになっている。そして、バー表示の画面５１では、画面５０にて楕円形の縦横比を変えている過程でシステムコントローラ１８で演算された縦横比（図では4：3）が表示される一方、操作可能なチェックボタン343が表示される。
【００５１】
チェックボタン343を押すと、図５(h)に示す画面に移行する。この移行画面も図５(f)と同様に２つに分割されており、図５(g)で決めた縦横比を表示すると共に画質（画素数）を設定するための選択肢〔図５(f)と同様〕を表示する画面５２と、その下に配置されて、「画質設定」の表示及び操作可能な十字ボタン及びチェックボタンの表示がなされたバー表示の画面５３で構成されている。図５(h)では、画質としてＴＩＦＦが選択されかつチェックボタン343操作後のチェックマークが表示されている。この図５(h)の状態から、マスクボタン344を操作すると、ＬＣＤ３１には楕円形にトリミングされた（マスクされた）撮影画像が表示されることになる。
【００５２】
そして、撮影者はＬＣＤ画像を見ながらカメラ１０の図示しないレリーズボタン（シャッタボタン）を押すことで、マスク情報としてのトリミング形態識別信号を伴った撮影画像信号がディスク２３に記録され、同時にそのマスクがかかった撮影画像がＬＣＤ表示される。
【００５３】
次に、ディスク２３に記録されている撮影画像を再生するには、メニューボタン341を押してメニュー画面を表示させ、メニュー項目の中から「分割表示」又は「１コマ表示」を選択しチェックボタン343で決定することで、実行することができる。「分割表示」はディスク２３に記録されている複数の画像を一覧表示できるように画面分割して表示する形式であり、「１コマ表示」はディスク２３に記録されている複数の画像を１コマずつコマ送りして表示する形式である。なお、１コマ表示において、次のコマへコマ送りするには十字ボタン342の左右キーを用いて行うようになっている。
【００５４】
図６は、メニュー項目の中から「分割表示」を選択し決定した場合の、分割表示例を示すものである。
【００５５】
図６(a)は、マスクをかけて撮影した画像とマスクをかけないで撮影した画像を分割表示するのに、マスクをかけて撮影した画像については再生時に分割表示画像とともにマスク形態（トリミング形態）を画像の右上隅にマークとして付加して表示するようにしたものである。図６(b)は、マスクをかけて撮影した画像とマスクをかけないで撮影した画像を分割表示するのに、マスクをかけて撮影した画像については再生時にマスクをかけた画像状態で表示するようにしたものである。なお、メニュー項目の中から「分割表示」を選択し決定した場合に、図６(a)又は図６(b)の一方のみが表示されてもよいし、或いはメニュー項目の中から「分割表示」を選択し決定した時に、サブメニュー項目として「マーク表示」と「ベタ表示」が表示されて、使用者が図６(a)か又は図６(b)かの一方の表示を任意に選択できるように構成してもよい。
【００５６】
図７は、メニュー項目の中から「１コマ表示」を選択し決定した場合の、１コマ表示例を示すものである。
【００５７】
図７(a)は、撮影画像の中にはマスクをかけて撮影した画像とマスクをかけないで撮影した画像とがあるが、マスクをかけて撮影した画像については再生時に画像とともにマスク形態（トリミング形態）を画像の右上隅にマークとして付加して表示するようにしたものである。図７(b)は、マスクをかけて撮影した画像についてはマスク部分を黒く塗り潰してマスクをかけた状態で再生表示したものである。図７(c)は、マスクをかけて撮影した画像についてはマスク部分をモノトーン（半透明）でマスクをかけた状態で再生表示したものである。なお、図示していないが、マスクをかけて撮影した画像についてはマスク部分を適宜の色（例えば青色）で塗り潰すことによってマスクをかけた状態で再生表示するようにしてもよい。なお、メニュー項目の中から「１コマ表示」を選択し決定した場合に、図７(a)，図７(b)及び図７(c)のいずれか１つのみが表示されてもよいし、或いはメニュー項目の中から「１コマ表示」を選択し決定した時に、サブメニュー項目として「マーク表示」と「ベタ表示」と「モノトーン表示」が表示されて、使用者が図７(a) か、図７(b)か、又は図７(c)のいずれか１つの表示を任意に選択できるように構成してもよい。
【００５８】
以上のような実施の形態のほかに、ディジタルカメラ１０の本体の側面などにマスクボタン３４４の誤操作を防ぐために切換えボタンを設けておき、この切換えボタンを押さないうちは（オフにされているときには）マスクボタン３４４が有効に機能せず、押す（オンにする）ことによってマスクボタン３４４が有効になり、このときにマスクボタン３４４を押すことによってトリミングモードにしたときＬＣＤ３１に図３に示したようなマスク一覧表示４４を持った画面がダイレクトに表示され、その一覧の中から所望のマスクを選択し、撮影時にはマスクボタン344を押してマスクをかけた撮影画像をＬＣＤ表示させるようにしてもよい。
【００５９】
以上述べた実施の形態におけるトリミング処理（マスク処理）の一連の動作は、システムコントローラ１８の制御処理によって行うことができる。
【００６０】
即ち、ディジタルカメラ１０は、被写体の像を結ぶための撮像光学系と、この撮像光学系によって自己の撮像面に映じられた光に対応する画像信号を生起する撮像素子とを有し、撮影された画像をシステムコントローラ１８の制御の基にＬＣＤ３１に画像表示したり、撮影された画像をシステムコントローラ１８の制御の基に画像処理用ＡＳＩＣ１７にてＪＰＥＧ圧縮処理してディスク２３に記録することができ、反対にシステムコントローラ１８の制御の基にディスク２３に記録された画像を読み出し画像処理用ＡＳＩＣ１７にてＪＰＥＧ伸長処理してＬＣＤ３１に画像表示することもできる。
【００６１】
システムコントローラ１８は、トリミング処理（マスク処理）を行うのにトリミング情報処理プログラム１８ａを内蔵しており、操作部３４からの指令に基づきＲＯＭ１６に格納されている種々のトリミング形態の中から希望のトリミングデータを読み出し、読み出したトリミングデータで撮影画像に対してマスクをかけてＬＣＤ表示したり、読み出したトリミングデータを撮影画像に関連付けてディスク２３に記録する制御処理を行う。また、ディスク２３に記録された画像を再生する際に、マスクをかけて撮像した画像についてはマスクをかけた形態の画像として再生する制御処理を行う。
【００６２】
従って、システムコントローラ１８は上記の制御処理を行うのに必要な下記の手段を有している。
【００６３】
即ち、記録される画像の利用目的に適合したトリミングの形態を選択的に設定するためのトリミング形態選択手段と、撮像素子１２の出力に関して該トリミング形態選択手段によって選択的に設定されたトリミングの形態に従った形式で画像が観察されるような信号処理を施し、適用された電子的表示手段としてのＬＣＤ２３に供給するための第１の信号処理手段と、撮像素子１２の出力に基づいて第１の信号処理手段によるトリミングに係る画像の部分的欠如が生じない形態で且つ上記トリミング形態選択手段によって選択的に設定された当該画像に関するトリミングの形態を表すトリミング形態識別信号を伴ったものとして記録媒体であるディスク２３に記録するに適合した被記録信号を得る第２の信号処理手段と、レリーズボタン（図示せず）などのトリガ手段への操作に応動して上記第２の信号処理手段による処理を受けた画像信号を、適用された記録媒体であるディスク２３に記録させるための記録動作起動手段と、上記ディスク２３に記録された画像信号を当該画像信号に伴うトリミング形態識別信号によって表されるトリミングの形態に対応する形態で再生する画像再生手段と、を備えている。
【００６４】
さらに、システムコントローラ１８は、上記第1の信号処理手段を有効に機能させるためのモード切換え手段を更に備えている。このモード切換え手段はマスクボタン344に応動して機能するものである。
【００６５】
上記トリミング形態選択手段は、予め設定された複数のトリミングの形態に対応したトリミング処理を上記第1の信号処理手段に夫々行なわせるための複数種類のトリミングデータを保有するＲＯＭ１６などのトリミングデータ保有手段と、該トリミングデータ保有手段の保有するトリミングデータに対応する複数のトリミング形態のうちから特定のものを選択するための選択操作手段と、を含んで構成されたものである。
【００６６】
上記第１の信号処理手段は、上記トリミング形態選択手段によって選択的に設定されたトリミングの形態に従った形式で撮像素子１２の出力に関して、当該トリミングによって除外する画像部分のデータに対してミュート信号に置換する処理乃至この処理と実効的に等価なデータ処理を施す過程を含む処理を行なうように構成されたものである。
【００６７】
また、上記第１の信号処理手段は、上記トリミング形態選択手段によって選択的に設定されたトリミングの形態に従った形式で画像が観察されるような信号処理を行なう動作モード（トリミングがかかった状態で観察される）と該信号処理を行なわずに信号を通過させる動作モード（ノーマルな状態で観察される）とが切り換え可能に構成されていてもよい。
【００６８】
更に詳しく言えば、上記第１の信号処理手段は、撮像素子１２の出力に関して前記トリミング形態選択手段によって選択的に設定されたトリミングの形態に従った形式で画像が観察されるような信号処理を施し、該信号処理が施された信号を適用された電子的表示手段であるＬＣＤ３１に供給するための第1の信号伝送経路（トリミングをかける経路）と、撮像素子１２の出力に関して上記信号処理が施されない信号を上記ＬＣＤ３１に供給するための第２の信号伝送経路（トリミングをバイパスする経路）と、上記第1の信号伝送経路と第２の信号伝送経路とが操作者の任意によるタイミングで切り換えて適用され得るようにするためのトリミング／ノーマル切り換え手段と、を含んで構成されている。ここで、上記の第1の信号伝送経路と、第２の信号伝送経路と、トリミング／ノーマル切り換え手段の各制御処理は、システムコントローラ１８でソフトウェア的に実行される機能であって、システムコントローラ１８の中に概念的に存在しているものである。
【００６９】
上記トリミング／ノーマル切り換え手段は、操作者が所定の操作部（例えばマスクボタン344）に操作を加えている期間には上記第１の信号伝送経路が適用され（トリミングがかかった状態で観察され）、上記所定の操作部に操作を加えていない期間には上記第２の信号伝送経路が適用される（ノーマル状態で観察される）ように構成されたものである。
【００７０】
上記トリミング形態選択手段は、上記トリミングデータ保有手段に保有されているトリミングデータに対応する複数のトリミングの形態のうちの所定数のものをまとめて一のメニュー画面として適用された電子的表示手段であるＬＣＤ３１に表示するためのトリミングメニュー表示手段を更に備え、上記トリミング形態選択手段は上記トリミングメニュー表示手段によって当該ＬＣＤ３１に表示されたトリミングの形態のうちの任意のものを操作者が選択することができるように構成されたものである。つまり、メニュー画面からトリミングを選択する構成としてもよい。
【００７１】
上記トリミング形態選択手段は、上記トリミングデータ保有手段に予め保有されているトリミングデータに対応する複数のトリミングの形態の他に、操作者による所定の操作に基づいて生成されるようトリミングデータに対応するトリミングの形態を選択的に設定するための手動トリミング手段を更に有して構成されたものであってもよい。即ち、予め用意したトリミングパターンのほかに、操作者が能動的にトリミングのパターンを作成できるようにしてある、の意味である。
【００７２】
上記トリミング／ノーマル切り換え手段は、所定の切換えスイッチへの切換え操作に応じて上記第1の信号伝送経路と第２の信号伝送経路とが操作者の任意によるタイミングで切り換えて適用され得るように構成されたものである。これは、上記トリミング／ノーマル切り換え手段は、操作者が所定の操作部（例えばマスクボタン344）に操作を加えた時には上記第１の信号伝送経路が適用され（トリミングがかかった状態で観察され）、上記所定の操作部にもう一度操作を加えた時には上記第２の信号伝送経路が適用される（ノーマル状態で観察される）ように構成されたものであってもよい。第1，第２の信号伝送経路とは、前述したように概念的に形成される伝送路を含むことも意味している。
【００７３】
上記トリミング／ノーマル切り換え手段は、トリガ手段（例えばレリーズボタン）と共通に用いられる操作部への操作量の程度（例えばフルストロークかハーフか）に応じて上記第1の信号伝送経路と第２の信号伝送経路とが操作者の任意によるタイミングで切り換えて適用され得るように構成されたものであってもよい。例えばレリーズボタンを深押しするか半押しするかによって第１，第２の伝送路を切り換えるようにしてもよい。
【００７４】
上記画像再生手段は、上記トリミングに係る画像の部分的欠如が略々生じない当該画像の相対的に周辺に偏った部位に上記トリミング形態選択手段によって設定されたトリミングの形態を表すパターンを表示するように構成される。これは、トリミングに係る画像は画面上の一領域に略々フルに表示し、そのトリミング形態は画像の右肩部などにシンボリックに表示する、ことを意味している。
【００７５】
上記画像再生手段は、上記トリミング形態選択手段によって設定されたトリミングが施された結果としての態様で再生画像を表示するように構成されたものであってもよい。これは、トリミングされた通りの形で再生表示する、ことを意味している。
【００７６】
上記トリミング形態選択手段によって選択的に設定されたトリミング形態に応じて、撮影条件に係る設定を自動的に行う撮影条件自動設定手段が更に設けられた構成としてもよい。つまり、選択的に設定されたトリミングの形態に応じて、カメラの設定を自動的に行うようにするものである。
【００７７】
上記撮影条件自動設定手段は、上記トリミング形態選択手段によって選択的に設定されたトリミング形態に応じて、記録画像を構成する画素数に関する設定を含むものとして撮影条件に係る設定を自動的に行うように構成されたものであってもよい。
【００７８】
上記撮影条件自動設定手段は、上記トリミング形態選択手段によって選択的に設定されたトリミング形態に応じて、記録画像に関する情報の圧縮率の設定を含むものとして撮影条件に係る設定を自動的に行うように構成されたものであってもよい。
【００７９】
上記撮影条件自動設定手段は、上記トリミング形態選択手段によって選択的に設定されたトリミング形態に応じて、記録画像の解像度に関する設定を含むものとして撮影条件に係る設定を自動的に行うように構成されたものであってもよい。
【００８０】
上記撮影条件自動設定手段は、上記トリミング形態選択手段によって選択的に設定されたトリミング形態に応じて、記録画像の色調に関する設定を含むものとして撮影条件に係る設定を自動的に行うように構成されたものであってもよい。
【００８１】
上記撮影条件自動設定手段は、上記トリミング形態選択手段によって選択的に設定されたトリミング形態に応じて、画像のサイズに関する設定を含むものとして撮影条件に係る設定を自動的に行うように構成されたものであってもよい。
【００８２】
上記撮影条件自動設定手段は、上記トリミング形態選択手段によって選択的に設定されたトリミング形態に応じて、絞りに関する設定を含むものとして撮影条件に係る設定を自動的に行うように構成されたものであってもよい。
【００８３】
上記撮影条件自動設定手段は、上記トリミング形態選択手段によって選択的に設定されたトリミング形態に応じて、被写界深度に関する設定を含むものとして撮影条件に係る設定を自動的に行うように構成されたものであってもよい。
【００８４】
上記撮影条件自動設定手段は、上記トリミング形態選択手段によって選択的に設定されたトリミング形態に応じて、測光方式に関する設定を含むものとして撮影条件に係る設定を自動的に行うように構成されたものであってもよい。
【００８５】
上記撮影条件自動設定手段は、上記トリミング形態選択手段によって選択的に設定されたトリミング形態に応じて、フラッシュのオンオフに関する設定を含むものとして撮影条件に係る設定を自動的に行うように構成されたものであってもよい。
【００８６】
上記撮影条件自動設定手段は、上記トリミング形態選択手段によって選択的に設定されたトリミング形態に応じて、赤目軽減のフラッシュのたき方に関する設定を含むものとして撮影条件に係る設定を自動的に行うように構成されたものであってもよい。
【００８７】
上記撮影条件自動設定手段は、上記トリミング形態選択手段によって選択的に設定されたトリミング形態に応じて、記録画像のコントラストに関する設定を含むものとして撮影条件に係る設定を自動的に行うように構成されたものであってもよい。
【００８８】
上記撮影条件自動設定手段は、上記トリミング形態選択手段によって選択的に設定されたトリミング形態に応じて、記録画像のシャープネスに関する設定を含むものとして撮影条件に係る設定を自動的に行うように構成されたものであってもよい。
【００８９】
上記撮影条件自動設定手段は、上記トリミング形態選択手段によって選択的に設定されたトリミング形態に応じて、記録画像のガンマ補正に関する設定を含むものとして撮影条件に係る設定を自動的に行うように構成されたものであってもよい。
【００９０】
上記撮影条件自動設定手段は、上記トリミング形態選択手段によって選択的に設定されたトリミング形態に応じて、記録画像の明るさに関する設定を含むものとして撮影条件に係る設定を自動的に行うように構成されたものであってもよい。
【００９１】
上記撮影条件自動設定手段は、上記トリミング形態選択手段によって選択的に設定されたトリミング形態に応じて、記録画像のエッジに関する設定を含むものとして撮影条件に係る設定を自動的に行うように構成されたものであってもよい。
【００９２】
上記撮影条件自動設定手段は、上記トリミング形態選択手段によって選択的に設定されたトリミング形態に応じて、シャッタスピードに関する設定を含むものとして撮影条件に係る設定を自動的に行うように構成されたものであってもよい。
【００９３】
上記撮影条件自動設定手段は、上記トリミング形態選択手段によって選択的に設定されたトリミング形態に応じて、ＥＶ値に関する設定を含むものとして撮影条件に係る設定を自動的に行うように構成されたものであってもよい。
【００９４】
上記撮影条件自動設定手段は、上記トリミング形態選択手段によって選択的に設定されたトリミング形態に応じて、ホワイトバランスに関する設定を含むものとして撮影条件に係る設定を自動的に行うように構成されたものであってもよい。
【００９５】
上記撮影条件自動設定手段は、上記トリミング形態選択手段によって選択的に設定されたトリミング形態に応じて、ＩＳＯ感度に関する設定を含むものとして撮影条件に係る設定を自動的に行うように構成されたものであってもよい。
【００９６】
上記撮影条件自動設定手段は、上記トリミング形態選択手段によって選択的に設定されたトリミング形態に応じて、ズーム倍率に関する設定を含むものとして撮影条件に係る設定を自動的に行うように構成されたものであってもよい。
【００９７】
上記撮影条件自動設定手段は、上記トリミング形態選択手段によって選択的に設定されたトリミング形態に応じて、フラッシュ発光量に関する設定を含むものとして撮影条件に係る設定を自動的に行うように構成されたものであってもよい。
【００９８】
上記撮影条件自動設定手段は、上記トリミング形態選択手段によって選択的に設定されたトリミング形態に応じて、ブラケット撮影に関する設定を含むものとして撮影条件に係る設定を自動的に行うように構成されたものであってもよい。
【００９９】
上記撮影条件自動設定手段は、上記トリミング形態選択手段によって選択的に設定されたトリミング形態に応じて、連写撮影に関する設定を含むものとして撮影条件に係る設定を自動的に行うように構成されたものであってもよい。
【０１００】
上記撮影条件自動設定手段は、上記トリミング形態選択手段によって選択的に設定されたトリミング形態に応じて、画像記録のデータ形式に関する設定を含むものとして撮影条件に係る設定を自動的に行うように構成されたものであってもよい。
【０１０１】
上記撮影条件自動設定手段は、上記トリミング形態選択手段によって選択的に設定されたトリミング形態に応じて、ＤＰＯＦ（Digital Print Oder Format：ディジタルカメラのプリント情報に関するフォーマット）に関する設定を含むものとして撮影条件に係る設定を自動的に行うように構成されたものであってもよい。ここで、ＤＰＯＦは、ディジタルカメラで撮影した画像の中からプリントしたい画像や枚数などの指定情報に加え、自動送信したい画像の指定や送信先の情報、自動再生したい画像の指定情報などを、画像ファイルが記録されているメモリカード等の記録媒体に併せて記録するフォーマットを意味している。
【０１０２】
上記撮影条件に関する設定を自動的に設定する自動モードを選択するか手動によって任意に設定する手動モードを選択するかを切換えるための切換え手段が更に設けられ、上記撮影条件自動設定手段は上記切換え手段によって上記自動モードが選択されたときに機能するように構成してもよい。
【０１０３】
上記トリミング形態選択手段の上記トリミングデータ保有手段は、トリミングによって選択的に排除される画像の部分が黒レベル、グレーレベルまたはカラーのミュート画面となる態様のものを複数種類のトリミングデータのうちの一のものとして含むように構成されたものであってもよい。
【０１０４】
上記トリミング形態選択手段の上記トリミングデータ保有手段は、トリミングによって選択的に排除される画像の部分が地となる画像に半透明のマスキングが施された態様のものを複数種類のトリミングデータのうちの一のものとして含むように構成されたものであってもよい。
【０１０５】
【発明の効果】
以上述べたように本発明によれば、記録された画像を、後にトリミングして用いることを予定している場合等において、そのような撮影に際して、予め用意したトリミング形態の中から所望の形態を選んでそのトリミング形態に合った状態で被写体を撮影することができ、トリミング枠から被写体が外れるといった不具合を生じることなく所望のトリミング撮影を行うことができる。つまり、所望のトリミングの形態に合った撮影をカメラアングルを決めるだけで、簡単な操作で実現することができる。
【図面の簡単な説明】
【図１】本発明の一実施の形態のディジタルカメラのブロック図。
【図２】ディジタルカメラの背面図。
【図３】メニュー画面の項目のうち、本発明の特徴部分となる「撮影マスクの選択」を選択した場合における撮影マスク一覧を示す図。
【図４】撮影時のＬＣＤ表示例を示す図。
【図５】メニュー画面の項目のうち、本発明の特徴部分の１つとなる「撮影マスクの編集」を選択した場合における撮影マスクの編集を示す図。
【図６】メニュー項目の中から「分割表示」を選択し決定した場合の、分割表示例を示す図。
【図７】メニュー項目の中から「１コマ表示」を選択し決定した場合の、１コマ表示例を示す図。
【符号の説明】
１１…撮像光学系
１２…撮像素子
１６…ＲＯＭ（トリミングデータ保有手段）
１７…ＡＳＩＣ（画像処理手段）
１８…システムコントローラ（カメラ各部の制御処理を行う手段）
２３…ディスク（記録媒体）
３１…ＬＣＤ（表示手段）
３４…操作部
【図１】
0003993457.tif 000002
【図２】
0003993457.tif 000003
【図３】
0003993457.tif 000004
【図４】
0003993457.tif 000005
【図５】
0003993457.tif 000006
【図６】
0003993457.tif 000007
【図７】
0003993457.tif 000008